(57)【特許請求の範囲】
【請求項１】
円柱状の本体パイプの上部に設けた第１吐水口と、前記本体パイプの中間部に設けた第２吐水口とを有し、前記本体パイプの下端にて水供給源に接続される水栓柱であって、
前記本体パイプを上下のパイプ本体に分割して、上側パイプ本体の上端に前記第１吐水口のための第１弁機構を設け、前記両パイプ本体の間に前記第２吐水口のための第２弁機構を設け、さらに、前記下側パイプ本体の下端に前記水供給源への接続機構を設けて、
前記第１弁機構と第２弁機構とは前記上側パイプ本体内に収納される第１給水管によって連結し、前記第２弁機構と接続機構とは前記下側パイプ本体内に収納される第２給水管によって連結するとともに、
前記第１給水管及び第２給水管のそれぞれ対向する端部に、前記第２弁機構側の本体に螺着される螺着部及び螺着部を備え、それぞれの他方の端部に取り付けた、前記第１弁機構の本体、及び前記接続機構を備えて、これらの接続機構、第１給水管、第２弁機構、第２給水管１２、及び第１弁機構をこの順の一体物とし、
前記第１吐水口の基端に一体化した筒状取付部を、前記第２弁機構側の本体の外周に回動可能で、前記上側パイプ本体の外表面に対して段差なく連結するとともに、前記第２吐水口の基端に一体化した筒状取付部を、前記第２弁機構の本体の外周に回動可能で、前記下側パイプ本体の外表面に対して段差なく連結したことを特徴とする水栓柱。
【請求項２】
前記第１弁機構を、前記第１給水管１１が連結される本体と、この本体の軸心に形成されて前記第１給水管内に連通する通水通路と、この通水通路の上端に連通して横方向に延在する給水空間と、この給水空間と前記通水路との間に配置される弁体を支持する弁軸と、この弁軸を前記通水路の端部に形成した弁座に対して進退する開閉ハンドルとを備えたものとするとともに、
前記第１吐水口の基端に筒状取付部を一体化し、この筒状取付部を、前記給水空間を液密的に囲みながら前記本体の外周に回動可能に連結して、前記第１吐水口の突出方向を変更可能としたことを特徴とする請求項１に記載の水栓柱。
【請求項３】
前記第２弁機構を、上側から前記第１給水管が、下側から前記第２給水管がそれぞれ連結される本体と、この本体の内に区画壁を介して区画されて前記第１給水管及び第２給水管内に連通する通水通路と、この通水通路の前記区画壁の反対側に延在する給水空間と、この給水空間内に配置される弁体を支持する弁軸と、この弁軸を前記区画壁に形成した弁座に対して進退する開閉ハンドルとを備えたものとするとともに、
前記第２吐水口の基端に筒状取付部を一体化し、この筒状取付部を、前記通水通路及び給水空間の上部を液密的に囲みながら前記本体の外周に回動可能に連結して、前記第２吐水口の突出方向を変更可能としたことを特徴とする請求項１または請求項２に記載の水栓柱。
【発明の詳細な説明】
【技術分野】
【０００１】
本発明は、庭や浴室に設置される水栓柱に関し、特に、２口の吐水口を有する水栓柱に関するものである。
【背景技術】
【０００２】
庭や浴室に設置される水栓柱は、水撒きや洗浄、そして開閉操作が行い易い高い位置に吐水口（蛇口）を配置するために使用されるものであり、一般的には、特許文献１にて提案されているようなものである。
【０００３】
特許文献１にて提案されている水栓柱は、図９にも示すように、１つの吐水口しか備えていないものであるから、例えば、庭先において、水撒きと手洗いを別々に行うことはできない。そこで、特許文献２にて提案されているように、２口の吐水口を有する水栓柱も提案されてきている。
【先行技術文献】
【特許文献】
【０００４】
【特許文献１】特開２０１１−１７９２７０号公報、代表図
【特許文献２】特開２００７−２４７１９６号公報、要約、代表図
【発明の概要】
【発明が解決しようとする課題】
【０００５】
特許文献２にて提案されている「水栓装置」は、「水栓柱の前方に広い作業空間を確保し得て、水栓柱を用いた作業を快適に行うことができ、しかも使い勝手の良い水栓柱を提供する」ことを目的としてなされたもので、図１０にも示すように、「正面を前方の作業空間に向けて設置された柱体１６の右側面から、吐水及び止水のための弁機構を内蔵した水栓本体２０を側方に突き出させ、水栓本体２０の側方の先端部に操作ハンドル２２を設け且つ水栓本体２０の正面に吐水管２６を設けておく。また柱体１６の左側面から流路７５を有するシャワーフック３２を左側方に突出する形態で設ける。そしてシャワーフック３２に吐水部７６と掛止孔８０を設け且つ掛止孔８０を斜め前方上向きに傾いた状態で設けておく」という構成を有するものである。
【０００６】
しかしながら、この特許文献２にて提案されている「水栓装置」では、「正面を前方の作業空間に向けて設置された柱体１６の右側面から、吐水及び止水のための弁機構を内蔵した水栓本体２０を側方に突き出させ、水栓本体２０の側方の先端部に操作ハンドル２２を設け且つ水栓本体２０の正面に吐水管２６を設けておく」等という「方向性」が重要になっているものであり、この「水栓装置」を設置する場合に、水道管等の湯水供給管路の直近であることや壁際でないこと等の位置制限が出てきて、設置作業がしにくいのではないかと考えられる。
【０００７】
また、この特許文献２の段落００２５には、「柱体１６及びシャワーフック３２の内部の構造が具体的に示してある。図に示しているように柱体１６は内部が中空とされており中空内部に水配管としてのサプライ管３８，４０及び湯配管としてのサプライ管４２が収納されている。」と記載されていることから、内部が中空の「柱体１６」によってその剛性を確保しているものと考えられる。そして、この内部が中空の「柱体」は、図面を見る限り「円柱状」のものとなっている。
【０００８】
つまり、この特許文献２の「水栓装置」は、所定箇所に立てられる一本のパイプの上部と中間部にそれぞれ蛇口を設けるものであるから、特に、上部の蛇口（シャワー装置）を使用する際に掛かる力によって全体が不安定になり易く、パイプの側方に突き出させた「水栓本体」の取り付け状態も不安定にならざるを得ないものとなっていると考えられる。
【０００９】
さらに、上記特許文献１でも、この特許文献２でも、各吐水口（蛇口）の位置が固定的であるため、例えば広い庭先での散水を行う場合に、ホースが水栓柱に絡まる等して、使用勝手が悪いのではないかと考えられる。
【００１０】
そこで、本発明者等は、２口の吐水口を有する水栓柱について、すっきりしたデザインのものにできるパイプを採用しながら、弁機構を内蔵してさらにすっきりさせ、かつ剛性を高めるにはどうしたらよいか、について種々検討を重ねてきた結果、本発明を完成したのである。
【００１１】
すなわち、本発明が第１の目的とするところは、２口の吐水口を有する水栓柱について、パイプ内に弁機構を内蔵させることにより、剛性が高くてデザイン上も優れた水栓柱を提供することにある。
【００１２】
また、本発明が第２の目的とするところは、２口の吐水口を有する水栓柱について、高い剛性と優れたデザインを維持しながら、各吐水口の方向を自在に変更することのできる水栓柱を提供することにある。
【課題を解決するための手段】
【００１３】
以上の課題を解決するために、まず、請求項１に係る発明の採った手段は、後述する実施形態の説明中で使用する符号を付して説明すると、
「円柱状の本体パイプ１０の上部に設けた第１吐水口２１と、本体パイプ１０の中間部に設けた第２吐水口３１とを有し、本体パイプ１０の下端にて水供給源に接続される水栓柱１００であって、
本体パイプ１０を上下のパイプ本体１０ａ・１０ｂに分割して、上側パイプ本体１０ａの上端に第１吐水口２１のための第１弁機構２０を設け、両パイプ本体１０ａ・１０ｂの間に第２吐水口３１のための第２弁機構３０を設け、さらに、下側パイプ本体１０ｂの下端に前記水供給源への接続機構４０を設けて、
第１弁機構２０と第２弁機構３０とは上側パイプ本体１０ａ内に収納される第１給水管１１によって連結し、第２弁機構３０と接続機構４０とは下側パイプ本体１０ｂ内に収納される第２給水管１２によって連結するとともに、
第１給水管１１及び第２給水管１２のそれぞれ対向する端部に、第２弁機構３０側の本体３０ａに螺着される螺着部１１ａ及び螺着部１２ａを備え、それぞれの他方の端部に取り付けた、第１弁機構２０の本体２０ａ、及び接続機構４０を備えて、これらの接続機構４０、第１給水管１１、第２弁機構３０、第２給水管１２、及び第１弁機構２０をこの順の一体物とし、
第１吐水口２１の基端に一体化した筒状取付部２１ａを、第１弁機構２０の本体２０ａの外周に回動可能で、上側パイプ本体１０ａの外表面に対して段差なく連結するとともに、第２吐水口３１の基端に一体化した筒状取付部３１ａを、第２弁機構３０の本体３０ａの外周に回動可能で、下側パイプ本体１０ｂの外表面に対して段差なく連結したことを特徴とする水栓柱１００」
である。
【００１４】
すなわち、この請求項１に係る水栓柱１００は、図１に示すように、例えば庭の適宜箇所に立設されるものであり、その本体パイプ１０の上部に設けた第１吐水口２１と、本体パイプ１０の中間部に設けた第２吐水口３１との、２口の蛇口を有するものである。これらの第１吐水口２１及び第２吐水口３１に対しては、本体パイプ１０の下端の接続機構４０にて接続される水供給源からの水が供給されるものであり、各第１吐水口２１及び第２吐水口３１はそれぞれ独立して使用されるものである。
【００１５】
この水栓柱１００を構成している本体パイプ１０は、図４及び図５に示すように、上側パイプ本体１０ａ及び下側パイプ本体１０ｂに２分割したものである。図５に示すように、上側パイプ本体１０ａの上端には、第１吐水口２１のための第１弁機構２０が設けてあり、両パイプ本体１０ａ・１０ｂの間には第２吐水口３１のための第２弁機構３０が設けてある。また、下側パイプ本体１０ｂの下端には接続機構４０が設けてあって、当該水栓柱１００は、この接続機構４０を介して水道管等の水供給源への接続がなされるものである。
【００１６】
そして、図４及び図５に示すように、第１弁機構２０と第２弁機構３０とを上側パイプ本体１０ａ内に収納される第１給水管１１によって連結し、第２弁機構３０と接続機構４０とを下側パイプ本体１０ｂ内に収納される第２給水管１２によって連結することにより、以上の第１弁機構２０及び第２弁機構３０は、上側パイプ本体１０ａ及び下側パイプ本体１０ｂの外部に突出しないスッキリとしたものになっているのである。
【００１７】
また、以上の第１弁機構２０、第２弁機構３０及び接続機構４０は、上側パイプ本体１０ａ及び下側パイプ本体１０ｂと、これらの内部に収納されている第１給水管１１及び第２給水管１２によって互いにしっかりと固定されているから、当該水栓柱１００全体は剛性の高いものとなっている。このため、仮に、第１吐水口２１または第２吐水口３１、あるいはその各開閉ハンドル２５または開閉ハンドル３５に、使用時の力が不用意に加わったとしても、第１弁機構２０、第２弁機構３０及び接続機構４０が外れたり、これらから水漏れを起こすこともない。
【００１８】
本発明に係る第１給水管１１及び第２給水管１２では、図５に示すように、第２弁機構３０側の本体３０ａに螺着される螺着部１１ａ及び螺着部１２ａを形成したものであり、他方の端部は第１弁機構２０の本体２０ａ、及び接続機構４０に固定されるものである。換言すれば、本発明に係る水栓柱１００は、第１弁機構２０に取り付けた第１給水管１１の螺着部１１ａを、上側パイプ本体１０ａに通して第２弁機構３０の本体３０ａに螺着し、接続機構４０に取り付けた第２給水管１２の螺着部１２ａを、下側パイプ本体１０ｂに通して第２弁機構３０の本体３０ａに螺着することにより、一体物として完成されるものである。
【００１９】
以上のように構成した水栓柱１００においては、本体パイプ１０の下端の接続機構４０から水が供給されてくると、この水は第２給水管１２を通って第２弁機構３０内に入り、この第２弁機構３０から第１給水管１１を介してさらに上方の第１弁機構２０にも供給される。従って、下側の第２弁機構３０が「開状態」となっているときには、その第２吐水口３１からの吐水がなされると同時に、上方の第１弁機構２０への水の供給もなされる。勿論、第２吐水口３１からの吐水がなされているときでも、第１吐水口２１からの吐水も可能になっている。
【００２０】
また、この水栓柱１００の不使用時においては、第１給水管１１及び第２給水管１２内に水が残るが、この水は、第１給水管１１と上側パイプ本体１０ａとの間、及び第２給水管１２と下側パイプ本体１０ｂとの間の空気空間によって、言わば断熱されている。このため、厳冬期において、これらの第１給水管１１及び第２給水管１２内に残留している水が凍結することは少なくなり、水の凍結による当該水栓柱１００の破裂が回避されることになるのである。
【００２１】
従って、この請求項１に係る水栓柱１００は、パイプ１０内に第１弁機構２０及び第２弁機構３０を内蔵させたことにより、剛性が高くて故障が少なく、かつデザイン上も優れたものとなっているのである。
【００２２】
また、上記課題を解決するために、請求項２に係る発明の採った手段は、上記請求項１に記載の水栓柱１００について、
「第１弁機構２０を、第１給水管１１が連結される本体２０ａと、この本体２０ａの軸心に形成されて第１給水管１１内に連通する通水通路２６と、この通水通路２６の上端に連通して横方向に延在する給水空間２７と、この給水空間２７と通水路２６との間に配置される弁体２３を支持する弁軸２２と、この弁軸２２を通水路２６の端部に形成した弁座２４に対して進退する開閉ハンドル２５とを備えたものとするとともに、
第１吐水口２１の基端に筒状取付部２１ａを一体化し、この筒状取付部２１ａを、給水空間２７を液密的に囲みながら本体２０ａの外周に回動可能に連結して、第１吐水口２１の突出方向を変更可能としたこと」
である。
【００２３】
この請求項２に係る水栓柱１００では、図６に示すように、第１給水管１１から供給されてきた水は第１弁機構２０の本体２０ａに形成してある通水路２６内に入る。この通水路２６の図示上部には、開閉ハンドル２５の操作によって上下動される弁体２３が当接する弁座２４が形成してあり、この弁座２４から弁体２３が離れれば、通水路２６内に来た水はその上の通水空間２７内に入ることになり、この通水空間２７内に入った水は第１吐水口２１から吐水されるのである。逆に、開閉ハンドル２５の操作によって弁体２３を弁座２４に当接させれば、水の通水路２６から通水空間２７への供給は止められるから、止水されることになる。
【００２４】
また、この水栓柱１００においては、第１吐水口２１の基端に筒状取付部２１ａを一体化して、この筒状取付部２１ａを、給水空間２７を液密的に囲みながら本体２０ａの外周に回動可能に連結しているから、第１吐水口２１の突出方向は、常に変更可能になっている。
【００２５】
つまり、この請求項２に係る水栓柱１００では、第１吐水口２１からの水の吐出方向を自在に変更できるのである。例えば、図５に示すような状態、つまり第２吐水口３１に接続したホースによって当該水栓柱１００の右方向での散水を行っている際に、第１吐水口２１を左側に向けて、散水の邪魔にならない状態で手洗いを行うことができるのである。
【００２６】
勿論、第１吐水口２１の筒状取付部２１ａは、当該第１弁機構２０を構成している本体２０ａの周囲に、パッキング等を使用して液密的に嵌合してあるから、第１吐水口２１の吐出方向を変えても、この筒状取付部２１ａから水漏れを生ずることはない。
【００２７】
従って、この請求項２に係る水栓柱１００は、上記請求項１のそれと同様な機能を発揮するだけでなく、高い剛性と優れたデザインを維持しながら、第１吐水口２１の方向を自在に変更し得るものである。
【００２８】
さらに、上記課題を解決するために、請求項３に係る発明の採った手段は、上記請求項１または請求項２に記載の水栓柱１００について、
「第２弁機構３０を、上側から第１給水管１１が、下側から第２給水管１２がそれぞれ連結される本体３０ａと、この本体３０ａの内に区画壁３８を介して区画されて第１給水管１１及び第２給水管１２内に連通する通水通路３６と、この通水通路３６の区画壁３８の反対側に延在する給水空間３７と、この給水空間３７内に配置される弁体３３を支持する弁軸３２と、この弁軸３２を区画壁３８に形成した弁座３４に対して進退する開閉ハンドル３５とを備えたものとするとともに、
第２吐水口３１の基端に筒状取付部３１ａを一体化し、この筒状取付部３１ａを、通水通路３６及び給水空間３７の上部を液密的に囲みながら本体３０ａの外周に回動可能に連結して、第２吐水口３１の突出方向を変更可能としたこと」
である。
【００２９】
この請求項３に係る水栓柱１００では、図７に示すように、第２給水管１２から供給されてきた水は第２弁機構３０の本体３０ａに形成してある通水路３６内に入るが、この通水路３６は弁座３４を有する区画壁３８によって区画されているから、弁座３４が閉じられているときは上方に流れる。この通水路３６の上方には、前述した第１給水管１１が開口しているから、当該第２弁機構３０の本体３０ａ内に供給された水は、弁座３４が閉じられているときは第１給水管１１側に流れ込む。
【００３０】
区画壁３８の図７の図示右側には、通水空間３７が区画形成してあるが、この通水空間３７内には開閉ハンドル３５の操作によって弁座３４に対して進退される弁体３３が配置してある。この弁体３３は、区画壁３８に形成してある弁座３４に当接したとき、通水路３６からの水の通水空間３７への流入を阻止し、この弁座３４から離れれば、通水路３６内に来た水は通水空間３７内に入ることになり、この通水空間３７内に入った水は第２吐水口３１から吐水されるのである。逆に、開閉ハンドル３５の操作によって弁体３３を弁座３４に当接させれば、水の通水路３６から通水空間３７への供給は止められるから、止水されることになる。
【００３１】
また、この請求項３の水栓柱１００においては、第２吐水口３１の基端に筒状取付部３１ａが一体化してあり、この筒状取付部３１ａは、通水通路３６及び給水空間３７の上部を液密的に囲みながら本体３０ａの外周に回動可能に連結してある。これにより、第２吐水口３１の突出方向が変更可能となっているのである。
【００３２】
勿論、第２吐水口３１の方向変更は、上記第１吐水口２１の方向変更とは独立して行えることは言うまでもないことであるだけでなく、第２吐水口３１の筒状取付部３１ａは、当該第２弁機構３０を構成している本体３０ａの周囲に、パッキング等を使用して液密的に嵌合してあるから、第２吐水口３１の吐出方向を変えても、この筒状取付部３１ａから水漏れを生ずることはない。
【００３３】
従って、この請求項３に係る水栓柱１００は、上記請求項１または２のそれと同様な機能を発揮するだけでなく、高い剛性と優れたデザインを維持しながら、第２吐水口３１の方向を自在に変更し得るものである。
【発明の効果】
【００３４】
以上、説明した通り、本発明においては、
「円柱状の本体パイプ１０の上部に設けた第１吐水口２１と、本体パイプ１０の中間部に設けた第２吐水口３１とを有し、本体パイプ１０の下端にて水供給源に接続される水栓柱１００であって、
本体パイプ１０を上下のパイプ本体１０ａ・１０ｂに分割して、上側パイプ本体１０ａの上端に第１吐水口２１のための第１弁機構２０を設け、両パイプ本体１０ａ・１０ｂの間に第２吐水口３１のための第２弁機構３０を設け、さらに、下側パイプ本体１０ｂの下端に前記水供給源への接続機構４０を設けて、
第１弁機構２０と第２弁機構３０とは上側パイプ本体１０ａ内に収納される第１給水管１１によって連結し、第２弁機構３０と接続機構４０とは下側パイプ本体１０ｂ内に収納される第２給水管１２によって連結するとともに、
第１給水管１１及び第２給水管１２のそれぞれ対向する端部に、第２弁機構３０側の本体３０ａに螺着される螺着部１１ａ及び螺着部１２ａを備え、それぞれの他方の端部に取り付けた、第１弁機構２０の本体２０ａ、及び接続機構４０を備えて、これらの接続機構４０、第１給水管１１、第２弁機構３０、第２給水管１２、及び第１弁機構２０をこの順の一体物とし、
第１吐水口２１の基端に一体化した筒状取付部２１ａを、第１弁機構２０の本体２０ａの外周に回動可能で、上側パイプ本体１０ａの外表面に対して段差なく連結するとともに、第２吐水口３１の基端に一体化した筒状取付部３１ａを、第２弁機構３０の本体３０ａの外周に回動可能で、下側パイプ本体１０ｂの外表面に対して段差なく連結したこと」
にその構成上の主たる特徴があり、これにより、２口の第１吐水口２１及び第２吐水口３１を有していても、剛性が高くて故障も少なく、しかもデザイン上も優れた水栓柱１００を提供することができるのである。
【図面の簡単な説明】
【００３５】
【図１】本発明に係る水栓柱１００を庭に設置した状態を示す斜視図である。
【図２】同水栓柱１００を拡大して示すもので、（ａ）は左上側からみた斜視図、（ｂ）は右上側からみた斜視図である。
【図３】同水栓柱１００を示すもので、（ａ）は背面図、（ｂ）は左側面図、（ｃ）は正面図、（ｄ）は平面図、（ｅ）は底面図である。
【図４】同水栓柱１００の分解側面図である。
【図５】同水栓柱１００の拡大断面図である。
【図６】同水栓柱１００の第１弁機構２０近傍を拡大して示した部分断面図である。
【図７】同水栓柱１００の第２弁機構３０近傍を拡大して示した部分断面図である。
【図８】同水栓柱１００の接続機構４０近傍を拡大して示した部分断面図である。
【図９】特許文献１に示された技術を示す断面図である。
【図１０】特許文献２に示された技術を示す断面図である。
【発明を実施するための形態】
【００３６】
次に、以上のように構成した各請求項に係る発明を、図面に示した実施の形態である水栓柱１００について説明するが、この実施形態の水栓柱１００は、上記各請求項に係る発明の全てを含むものである。
【００３７】
この水栓柱１００は、図１に示したように、下端を地中の水道管に接続した状態で庭等の所定位置に立設されるものであり、本体パイプ１０の上端に第１吐水口２１を、また本体パイプ１０の中間部に第２吐水口３１を設けたものである。これらの第１吐水口２１または第２吐水口３１からの吐水は、図１〜図３に示したように、それぞれの直上に露出している開閉ハンドル２５または３５によって操作されるものである。
【００３８】
本実施形態に係る水栓柱１００を構成している本体パイプ１０は、図４〜図８に示したように、上側パイプ本体１０ａと下側パイプ本体１０ｂとに２分割したものであり、上側パイプ本体１０ａの上端には、上記第１吐水口２１を有する第１弁機構２０が取り付けられ、上側パイプ本体１０ａと下側パイプ本体１０ｂとの間には、上記第２吐水口３１を有する第２弁機構３０が取り付けられる。また、下側パイプ本体１０ｂの下端には、図８に示したように、水供給源である図示しない水道管と当該水栓柱１００との接続を行うための接続機構４０が設けてある。
【００３９】
以上の第１弁機構２０、第２弁機構３０、及び接続機構４０は、図５に示したように、上側パイプ本体１０ａ内に収納される第１給水管１１、及び下側パイプ本体１０ｂ内に収納される第２給水管１２によって互いに強固に連結される。これらの第１給水管１１及び第２給水管１２は、上側パイプ本体１０ａ及び下側パイプ本体１０ｂとの間に断熱空間となり得る空気空間を形成するとともに、第１弁機構２０、第２弁機構３０、及び接続機構４０間の水の通路を形成するものである。
【００４０】
本実施形態に係る第１給水管１１及び第２給水管１２では、図５に示したように、第２弁機構３０側の本体３０ａに螺着される螺着部１１ａ及び螺着部１２ａを形成したものであり、他方の端部は第１弁機構２０の本体２０ａ、及び接続機構４０に固定されるものである。換言すれば、本実施形態に係る水栓柱１００は、第１弁機構２０に取り付けた第１給水管１１の螺着部１１ａを、上側パイプ本体１０ａに通して第２弁機構３０の本体３０ａに螺着し、接続機構４０に取り付けた第２給水管１２の螺着部１２ａを、下側パイプ本体１０ｂに通して第２弁機構３０の本体３０ａに螺着することにより、一体物として完成されるものである。
【００４１】
さて、第１弁機構２０は、図５及び図６に示したように、第１給水管１１の上端に固定される本体２０ａを有するものであり、この本体２０ａ内には、第１給水管１１内に連通する通水路２６が形成してある。この通水路２６には、その上方で横方向に広がる通水空間２７が連通しており、また、この通水路２６の上端には弁座２４が形成してある。この弁座２４に、通水空間２７内に配置されて弁軸２２に取り付けた弁体２３が当接することにより、通水路２６と通水空間２７との連通が遮断されるが、この弁体２３の弁座２４に対する進退を行うのが弁軸２２の他端に取り付けた開閉ハンドル２５である。
【００４２】
一方、上述した第１吐水口２１の基端には、図２及び図５に示したように、筒状取付部２１ａが一体化してある。この筒状取付部２１ａは、図５に示したように、給水空間２７を液密的に囲みながら本体２０ａの外周に回動可能に連結したものであり、これにより、第１吐水口２１の突出方向が変更可能となっているのである。また、この第１弁機構２０の筒状取付部２１ａは、上側パイプ本体１０ａの内径と同じ外形（円柱状）にした本体２０ａの外周に嵌合したものであり、かつ、筒状取付部２１ａの肉厚を上側パイプ本体１０ａのそれと同じにしたものであるため、上側パイプ本体１０ａの外表面に対して段差なく回動可能になっているものである。
【００４３】
次に、上記第２吐水口３１を備えた第２弁機構３０について説明すると、この第２弁機構３０は、図５及び図７に示したように、上側パイプ本体１０ａと下側パイプ本体１０ｂとの間に介装される本体３０ａを有しているものであり、この本体３０ａ内には、区画壁３８によって通水空間３７とは区画された通水路３６が形成してある、この通水路３６の下端には接続機構４０に連結されていた第２給水管１２が開口し、またこの通水路３６の上端には第１給水管１１が開口するものである。
【００４４】
この通水路３６の、図５の図示右側には、上記通水空間３７との区画を行っている区画壁３８が形成してあり、この区画壁３８には、通水路３６と通水空間３７との連通及びその遮断がなされることになる弁座３４が形成してある。この弁座３４に対しては、その図示右側に配置された弁体３３が進退するものであり、この弁体３３は開閉ハンドル３５によって進退される弁軸３２の内端に取り付けてある。換言すれば、この第２弁機構３０の弁軸３２は、上記第１弁機構２０側の弁軸２２が上下方向に配置されるのに対して、横方向に配置されるものである。
【００４５】
以上によって、この第２弁機構３０においては、図７に示したように、第２給水管１２から供給されてきた水は第２弁機構３０の本体３０ａに形成してある通水路３６内に入るが、この通水路３６は弁座３４を有する区画壁３８によって区画されているから、弁座３４が閉じられているときは上方に流れる。この通水路３６の上方には、前述した第１給水管１１が開口しているから、当該第２弁機構３０の本体３０ａ内に供給された水は、弁座３４が閉じられているときは第１給水管１１側に流れ込むことになる。
【００４６】
区画壁３８の図７の図示右側には、通水空間３７が区画形成してあったが、この通水空間３７内には開閉ハンドル３５の操作によって弁座３４に対して進退する弁体３３が配置してある。この弁体３３は、区画壁３８に形成してある弁座３４に当接したとき、通水路３６からの水の通水空間３７への流入を阻止し、この弁座３４から離れれば、通水路３６内に来た水は通水空間３７内に入ることになり、この通水空間３７内に入った水は第２吐水口３１から吐水されることになる。逆に、開閉ハンドル３５の操作によって弁体３３を弁座３４に当接させれば、水の通水路３６から通水空間３７への供給は止められるから、止水されることになる。
【００４７】
また、この実施形態の水栓柱１００においては、図２及び図７に示したように、第２吐水口３１の基端に筒状取付部３１ａが一体化してあり、この筒状取付部３１ａは、通水通路３６及び給水空間３７の上部を液密的に囲みながら本体３０ａの外周に回動可能に連結してある。これにより、第２吐水口３１の突出方向は変更可能となっているのである。
【００４８】
勿論、第２吐水口３１の方向変更は、上記第１吐水口２１の方向変更とは独立して行えることは言うまでもないことであるだけでなく、第２吐水口３１の筒状取付部３１ａは、当該第２弁機構３０を構成している本体３０ａの周囲に、パッキング等を使用して液密的に嵌合してあるから、第２吐水口３１の吐出方向を変えても、この筒状取付部３１ａから水漏れを生ずることはない。
【符号の説明】
【００４９】
１００    水栓柱
１０    本体パイプ
１０ａ  上側パイプ本体
１０ｂ  下側パイプ本体
１１    第１給水管
１１ａ  螺着部
１２    第２給水管
１２ａ  螺着部
２０    第１弁機構
２０ａ  本体
２１    第１吐水口
２１ａ  筒状取付部
２２    弁軸
２３    弁体
２４    弁座
２５    開閉ハンドル
２６    通水路
２７    通水空間
３０    第２弁機構
３０ａ  本体
３１    第２吐水口
３１ａ  筒状取付部
３２    弁軸
３３    弁体
３４    弁座
３５    開閉ハンドル
３６    通水路
３７    通水空間
３８    区画壁
４０    接続機構
【図１】
0005931808.tif 000002
【図２】
0005931808.tif 000003
【図３】
0005931808.tif 000004
【図４】
0005931808.tif 000005
【図５】
0005931808.tif 000006
【図６】
0005931808.tif 000007
【図７】
0005931808.tif 000008
【図８】
0005931808.tif 000009
【図９】
0005931808.tif 000010
【図１０】
0005931808.tif 000011